(57)【要約】【目的】　誤動作を防止し、快適な操作感を得られる節度機構を備えたスライド操作型スイッチを提供する。【構成】　ケースの内壁またはスイッチ要素を設けた基板に節度付与用突起を設け、該節度付与用突起に対面するケースの内部に揺動自在に支持された揺動部材を設け、該揺動部材に支持されかつ前記節度付与用突起に向かって弾性付勢された節度付与部材を設け、前記スライダーには前記揺動部材を揺動駆動する駆動部を設けた構成とし、節度付与部材が節度付与用突起の中間で停止することがないようにして、スイッチのオンオフが確実にされるようにした。【選択図】　　　　図１
2004014521.tif 000002
【特許請求の範囲】
【請求項１】
ケースと、ケースに収納された基板と、該基板に設けられたスイッチ要素と、前記ケースにスライド可能に保持され、且つ、前記スイッチ要素をオンオフさせるスライダーと、前記ケースに設けられた開口を通して前記スライダーにつまみと、前記ケースの内壁、または前記基板上に設けられた節度付与用突起と、該節度付与用突起に対向する前記ケースの内壁、または前記基板に揺動自在に支持された揺動部材と、該揺動部材に支持され、且つ、前記節度付与用突起に向けて弾発された節度付与用部材と、前記スライダーに設けられて、前記揺動部材を揺動駆動する駆動部とからなる節度機構を備え、前記スイッチ要素は、内部に収納された可動接点を駆動する作動子を外部に露出し、前記スライダーには、前記作動子を駆動するスイッチ駆動部が設けられたことを特徴とするスライド操作型スイッチ。
【請求項２】
前記スライダーには、スライド方向に沿う側板に切り欠き形状の前記駆動部が前記ケースの天面側に設けられると共に、前記スイッチ駆動部が前記基板側に設けられ、前記駆動部には前記揺動部材の前記被駆動軸が係止されたことを特徴とする請求項１記載のスライド操作型スイッチ。
【請求項３】
前記節度付与用突起が前記ケースの内壁に設けられると共に、前記揺動部材の支軸が前記ケースの側壁に係止され、前記スライダーが移動した際、前記駆動部に係止された前記被駆動軸の動きに伴って、前記揺動部材が前記支軸を支点として揺動するようにしたことを特徴とする請求項２記載のスライド操作型スイッチ。
【発明の詳細な説明】
【技術分野】
【０００１】
　本発明は、スライド操作型スイッチに係わり、特に誤動作を防止することが可能な、かつ操作感の良い節度機構に関する。
【背景技術】
【０００２】
　従来のスライド操作型スイッチにおいては、図５に示されるような節度機構が多用されている。このものは、ケース５１と基板５３との間に、スライダー５５が前記ケースの壁面によって案内されながらスライド可能に収納されている。基板５３の上面にはスイッチ要素の一方である固定接点５２が、スライダー５５の下面にはスイッチ要素の他方である可動接点５４が取り付けられいる。前記ケースの上面には長孔５６が設けてあり、ケースの外面に設けられた操作用のつまみ５７と前記スライダー５５が連結されている。前記ケース５１の前記スライダー５５に対向する位置の内面５８には例えば断面が三角形状の複数の凹部５９が、スライダー５５の移動方向に並んで形成されている。一方、前記スライダー５５の上面には深い孔６０が穿設されており、コイルバネ６１が収納されている。このコイルバネ６１の先端には鋼球６２が取り付けられており、スライダー５５がケース５１内に収納された状態では、コイルバネ６１に弾性付勢された鋼球６２がスライダー５５の上面から突出してケース５１の内面５８に圧接されている。そして、この鋼球６２は、スライダー５５の移動にともない前記した凹部５９に落ち込む。スライダー５５の移動中は、鋼球６２が凹部５９に落ち込んだ時も含めて、鋼球６２が孔６０から脱落しないように、ケース５１の内面５８とスライダー５５の上面との間の距離が適正に決定されている。操作者がつまみ５７を操作するに伴ってスライダー５５が移動し、鋼球６１が凹部５８に落ち込んだときに、操作者は指先に軽い手ごたえを感じるが、これがいわゆる節度感である。スライダー５５が移動するにともない、可動接点５４が固定接点５２と選択的に接続され、スイッチの切り替え動作が行われるが、このスイッチ切り替え動作と同期して節度感が感じられるように上記の各部分の位置関係が決定されている。スイッチが例えばオン、オフのふたつの状態の切り替えを行うものである場合、ふたつの凹部５９が設けられ、オンオフの一方の状態の時に鋼球６２が一方の凹部５９に落ち込んだ状態にあるように設定されている。そして、オンオフの他方の状態に向けてつまみ５７をスライド操作したときに、鋼球６２はそれまで係合していた一方の凹部５９から脱出し、ふたつの凹部間のケース内面５８に圧接された状態で移動した後もう他方の凹部５９に係合する。スライダー５５は移動前後の位置が規制されており、鋼球６２がふたつの凹部５９の間を越えて移動しないようになっている。操作者は節度感を感知することにより、スイッチの操作を完了したことを認識できる。
【発明の開示】
【発明が解決しようとする課題】
【０００３】
　上記従来のスライド操作型スイッチの節度機構においては、凹部５９間には平坦な部分が存在するので、操作者があわてて不確実な操作をした場合には、鋼球６２がその平坦部分に接している状態、即ちスイッチのオンオフの中間位置でスライダー５５が停止してしまう誤動作が発生するという問題があった。
【０００４】
　本発明の目的は、前記従来技術の問題点を克服し、誤動作を防止し得る節度機構を備えたスライド操作型スイッチを提供することにある。
【発明の効果】
【０００５】
　以上説明したように、本発明によれば、スライド操作型スイッチに係る節度機構を、一方は突起とし、他方を揺動部材に支持されかつ弾発付勢された節度付与部材としたので、オンオフの中間位置で停止することがない確実な操作が可能となる。
【課題を解決するための手段】
【０００６】
　上記課題を解決するための第１の解決手段として、ケースと、ケースに収納された基板と、該基板に設けられたスイッチ要素と、前記ケースにスライド可能に保持され、且つ、前記スイッチ要素をオンオフさせるスライダーと、前記ケースに設けられた開口を通して前記スライダーにつまみと、前記ケースの内壁、または前記基板上に設けられた節度付与用突起と、該節度付与用突起に対向する前記ケースの内壁、または前記基板に揺動自在に支持された揺動部材と、該揺動部材に支持され、且つ、前記節度付与用突起に向けて弾発された節度付与用部材と、前記スライダーに設けられて、前記揺動部材を揺動駆動する駆動部とからなる節度機構を備え、前記スイッチ要素は、内部に収納された可動接点を駆動する作動子を外部に露出し、前記スライダーには、前記作動子を駆動するスイッチ駆動部が設けられた構成とした。
　また、第２の解決手段として、前記スライダーには、スライド方向に沿う側板に切り欠き形状の前記駆動部が前記ケースの天面側に設けられると共に、前記スイッチ駆動部が前記基板側に設けられ、前記駆動部には前記揺動部材の前記被駆動軸が係止された構成とした。
　また、第３の解決手段として、前記節度付与用突起が前記ケースの内壁に設けられると共に、前記揺動部材の支軸が前記ケースの側壁に係止され、前記スライダーが移動した際、前記駆動部に係止された前記被駆動軸の動きに伴って、前記揺動部材が前記支軸を支点として揺動するようにした構成とした。
【発明を実施するための最良の形態】
【０００７】
　以下、本発明の一実施例によるスライド操作型スイッチに係る節度機構を図面により詳細に説明する。
【０００８】
　図１は本発明の節度機構を採用したスライドスイッチを含む製品の関連する部分を図示した分解斜視図である。図２はスライドスイッチのケースの内面を下から見上げた平面図。図３、図４はスライドスイッチの動作を示す一部断面図である。
【０００９】
　図１において、１はケース、２はプリント基板、３はスライダー、４はつまみである。ケース１にはその外面１ａに平面形状が略長方形の浅い凹部１ｂが形成され、その凹部１ｂの中央には長孔１ｃが穿設されている。ケース１の天面１ｄには図２に示されるように、前記長孔１ｃの長辺に平行に一対の側壁１ｅ、１ｅが前記長孔１ｃをはさんで一体に形成されている。
【００１０】
　側壁１ｅ、１ｅの下端（図２の紙面に対して手前）には一対の凹部１ｆ、１ｆが形成されている。前記天面１ｄ上には側壁１ｅ、１ｅの中間部分の前記長孔１ｃから少し離れた位置に、一条の幅細の節度付与用突起１ｇが、側壁１ｅと平行にかつその頂点を前記一対の凹部１ｆ、１ｆを結ぶ直線上になるようにして形成されている。
【００１１】
　プリント基板２上にはスイッチ要素であるプッシュスイッチ５が取り付けられている。プッシュスイッチ５は内部に図示しない固定接点と可動接点とが収納され、可動接点を駆動する作動子５ａが外部に露出している。該作動子５ａは図示しないバネによって外方にバネ付勢されており、バネの付勢力に抗して作動子５ａを駆動することにより、スイッチをオンすることができる。プリント基板２は、その表面を前記ケース１の前記側壁１ｅ、１ｅの下端を当接させて図示しない固定手段により前記ケース１に取り付けられている。
【００１２】
　スライダー３は、概略細長い箱型を呈し、前記ケース１の天面１ｄと側壁１ｅ、１ｅ及び前記プリント基板２の表面によって画成される空間に、前記側壁１ｅに沿ってスライド可能に収容されている。スライダー３には、スライド方向に沿う側板３ａ、３ａが形成されている。該側板３ａ、３ａの対向する位置には切り欠き形状の駆動部３ｂ、３ｂが設けられ、更に前記プリント基板２側にあって前記プッシュスイッチ５の前記作動子５ａを駆動するスイッチ駆動部３ｃが設けられている。スライダー３の幅は前記したケース１の側壁１ｅ、１ｅ間の寸法とほぼ同じに設定され、その最大高さは前記ケース１の天面１ｄと前記プリント基板２の表面との距離より少なくなるように設定されて、前記空間内で著しいガタが発生しないようにされている。
【００１３】
　つまみ４は、前記ケース１の外に露出しかつケース１の前記凹部１ｂ内で移動可能な、操作者の操作に使用される操作部４ｂと、可能ケース１の前記長孔１ｃを貫通する軸部４ａとからなっている。前記軸部４ａの先端は前記スライダー３に固定されており、その結果、操作者がつまみ４をスライド操作すると、スライダー３も同時にスライド移動する。前記つまみ４及びスライダー３の移動範囲は前記つまみ４の前記軸部４ａの側壁が前記ケース１の長孔１ｃの短辺側壁に当接することで規制されている。
【００１４】
　揺動部材６は、前記ケース１の前記天面１ｄと前記側壁１ｅ、１ｅ、及びプリント基板２の表面で囲まれる空間に収容されており、かつ前記スライダー３の一対の前記側板３ａの間に位置している。揺動部材６には、スライダー３の側板３ａ、３ａに対面する両側面の上部に被駆動軸６ａが設けられており、スライダー３の前記側板３ａの下方で前記ケース１の前記側壁１ｅ、１ｅと対面する両側面の下部には支軸６ｂが形成されている。前記揺動部材６の前記被駆動軸６ａ、６ａは前記スライダー３の側板３ａ、３ａに形成された前記切り欠き形状の駆動部３ｂ、３ｂに係止され、前記支軸６ｂ、６ｂは前記ケース１の側壁１ｅ、１ｅの下端に形成された前記凹部１ｆ、１ｆに係止されており、その結果揺動部材６は、スライダー３のスライド移動にともなって、支軸６ｂ、６ｂを支点として揺動する。揺動部材６には上方に開口する深孔６ｃが穿設されており、該深孔６ｃには巻き線バネ７が収納され、該巻き線バネ７の末端に鋼球８が載置されており、鋼球８は巻き線バネの付勢力によって前記ケース１の内面１ｄに設けられた前記節度付与用突起１ｇに強く押しつけられている。前記スライダー３のスライド移動にともなって、前記鋼球８は前記節度付与用突起１ｇ上を移動する。
【００１５】
　上記の本発明による一実施例のスライド操作型スイッチの節度機構の動作を図３、図４によって説明する。
【００１６】
　図３はスイッチ要素即ちプッシュスイッチ５がオフの状態を示しており、揺動部材６は左側に傾倒しており、鋼球８はケース１の節度付与用突起１ｇの左側の斜面上の始点に静止している。始点の位置は、弾性付勢された鋼球８が節度付与用突起１ｇの左の斜面にあることから、揺動部材６、スライダー３及びつまみ４が左側に付勢されている一方、つまみ４の軸部４ａがケース１の長孔１ｃの左側短辺側壁に当接することによって定まっている。プッシュスイッチ５の作動子５ａはバネ付勢されて十分な長さが外部に突出している。
【００１７】
　操作者が巻き線バネ７による左方向への付勢力に抗してつまみ４を図の右側にスライド移動させると、スライダー３が右側に移動をし、揺動部材６が右側に揺動を開始する。揺動部材６の揺動にともない鋼球８が節度付与用突起１ｇの左側斜面を移動し、節度付与用突起１ｇの頂点に達した後、つまみ４の軸部４ａがケース１の長孔１ｃの短辺側壁に当接して鋼球８が停止する終点位置に到達するが、頂点に達したとき鋼球１ｇは十分に圧縮された巻き線バネ７の強い付勢力を受けており、また揺動自在な揺動部材６に支持されているため、右方に向けた操作者がわずかな力を追加しても、巻き線バネ７の付勢力によって一気に終点位置まで達することが出来、途中で止まってしまうことがない。もし操作者が操作の初期の段階で操作を中止したときは、巻き線バネ７の付勢力によって鋼球８が節度
付与用突起１ｇの左側斜面を左側に移動して始点位置まで戻り、その結果つまみ４及びスライダー３も初期の状態に戻ってしまう。従って、スイッチがオンとオフの定位置のいずれかに必ず落ちつくことができる。また、操作の中点を過ぎるとバネの付勢力で一気に終点に達するので、軽快な節度感が得られる。
【００１８】
　図４は操作の終了時、即ちスイッチ要素であるプッシュスイッチ５がオンの状態を示している。このとき、つまみ４及びスライダー３は、巻き線バネ７によって右方向へ付勢され、つまみ４の軸部４ａがケース１の長孔１ｃの右側短辺側壁に当接する事により、定められた終点位置に停止している。そして、プッシュスイッチ５の作動子５ａはスイッチ内部のバネ付勢力に抗して深く内部に進入し、図示しない可動接点が固定接点に接続してスイッチがオンの状態に達している。
　スイッチオンからオフにする操作にともなう動作は上記の説明中の動作と基本
的に同じなので省略する。
【００１９】
　以上説明したように、本発明によれば、スイッチのオンオフ操作が確実に行われ、また明快な操作感を得ることが出来る。
【００２０】
　以上の本発明を採用した一実施例の説明においては、スイッチ要素をプッシュスイッチに限定して説明したが、スイッチ要素としてはこの他にスライドスイッチを使用することもできるし、前記のスライダーに可動接点を、前記プリント基板に固定接点を形成した構成であっても良い。また、プリント基板に代えて単なる基板もしくはケースの一部を適用しても良い。また、節度付与用突起をケースの天面に設ける場合を説明したが、ケースの天面に代えて側壁または基板上に形成しても良い。この場合、揺動部材は上記実施例中の支持構造を応用してケースの対向する面に揺動自在に支持すれば良い。更に、節度付与部材を鋼球に限定して説明したが、鋼球に限らず、他の金属またはプラスチック製の球体であっても良く、もしくは節度付与用突起上の移動がスムーズに行い得るような、例えば一部を曲面に曲げた金属薄板や一部に曲面を設けたプラスチック成形品であっても良い。更に節度付与部材に一体に弾性部を形成して巻き線バネを省略しても良い。また、揺動部材の揺動の支持構造として、揺動部材に支軸の代わりに孔を設ける一方でケースの方に支軸を設けても良い。また、ケースでなく、基板上に揺動部材の支軸を係止するようにしても良い。スライダーによる揺動部材の駆動構造として、前述の構造に代えて、スライダーに支軸を設ける一方で揺動部材に凹部を設ける構造としても良い。つまみとスライダーの結合をつまみの軸で行うことを説明したが、結合は他の構造を採用して良く、つまみとスライダーを一体で形成しても良い。スライダーの移動範囲の規制は他の構造によっても良い。例えばケースとスライダーが当接する事により規制しても良い。または、節度付与用突起の両端に例えば三角形状の凹部を形成し、節度付与部材がその凹部に落ち込むことによって規制しても良い。
【図面の簡単な説明】
【００２１】
【図１】本発明の節度機構の一実施例を採用したスライドスイッチを含む製品の関連する部分を図示した分解斜視図である。
【図２】本発明の節度機構の一実施例を採用したスライドスイッチのケースの内面を下から見上げた平面図。
【図３】本発明の節度機構の一実施例の動作の始点を示す縦断面図。
【図４】本発明の節度機構の一実施例の動作の終点を示す縦断面図。
【図５】従来のスライドスイッチの節度機構を示す断面図
【符号の説明】
【００２２】
　１　ケース
　１ｃ　長孔（開口）
　１ｄ　天面（内壁）
　１ｅ　側壁（内壁）
　１ｇ　節度付与用突起
　２　基板
　３　スライダー
　３ｂ　凹部（駆動部）
　４　つまみ
　５　プッシュスイッチ（スイッチ要素）
　６　揺動部材
　８　鋼球（節度付与部材）
【図１】
2004014521.tif 000003
【図２】
2004014521.tif 000004
【図３】
2004014521.tif 000005
【図４】
2004014521.tif 000006
【図５】
2004014521.tif 000007